(57)【要約】【課題】  ＬＥＤ照明装置を簡単かつコンパクトに構成するとともに、天井に既設の引掛ローゼット等に簡単に取り付けることができるようにする。【解決手段】  ＬＥＤ照明装置１０は、少なくとも１つのＬＥＤ素子１１からなるＬＥＤ照明部１２と、そのＬＥＤ素子に電力を供給するＬＥＤ電源供給部１３とを備えている。ＬＥＤ照明部は、照明器具本体１６に組み込まれる。ＬＥＤ電源供給部は、交流電源を受けて直流電圧を出力し、この直流電圧を照明器具本体に取り付けられたＬＥＤ照明部に印加してＬＥＤ素子を発光させるように構成される。そして、ＬＥＤ電源供給部を構成する各部材は、天井等に既設の引掛ローゼット１９に着脱可能に装着される引掛シーリング１７内に組み込まれている。【選択図】        図１
2007123213.tif 000002
【特許請求の範囲】
【請求項１】
少なくとも１つのＬＥＤ素子からなるＬＥＤ照明部と、
このＬＥＤ照明部のＬＥＤ素子に電力を供給するＬＥＤ電源供給部とを備え、
前記ＬＥＤ照明部を照明器具本体に組み込んでなるＬＥＤ照明装置において、
前記ＬＥＤ電源供給部は、交流電源を受けて直流電圧を出力し、この直流電圧を照明器具本体に取り付けられたＬＥＤ照明部に印加してＬＥＤ素子を発光させるように構成されるとともに、
このＬＥＤ電源供給部を構成する各部材は、外部コネクタに着脱可能に装着されるコネクタ内に組み込まれていることを特徴とするＬＥＤ照明装置。
【請求項２】
請求項１記載のＬＥＤ照明装置において、
ＬＥＤ電源供給部を構成する各部材は、外部接続用コネクタ内部に組み込み配置されるとともに、該コネクタ内に封入された封止樹脂により封止されていることを特徴とするＬＥＤ照明装置。
【請求項３】
請求項１記載のＬＥＤ照明装置において、
ＬＥＤ電源供給部を構成する各部材は、予め封止樹脂によりモジュール化されるとともに、外部接続用コネクタ内部に組み込み配置されていることを特徴とするＬＥＤ照明装置。
【請求項４】
請求項１、請求項２または請求項３記載のＬＥＤ照明装置において、
前記外部接続用コネクタは、天井等に既設の引掛ローゼットに着脱可能に装着される引掛シーリングであることを特徴とするＬＥＤ照明装置。
【発明の詳細な説明】
【技術分野】
【０００１】
本発明は、光源に発光ダイオード（以下、ＬＥＤと称す）を用いて照明を行うＬＥＤ照明装置に関し、特にＬＥＤ素子に電力を供給するに必要な電子回路等を搭載した電源供給部構造に関する。
【背景技術】
【０００２】
近年、ＬＥＤ照明が間接照明やディスプレイ照明、設備照明などに、省電力、長寿命、メンテナンスフリーなどの理由から浸透しはじめている。
このようなＬＥＤ照明装置としては従来から種々の構造のものが提案されているが、ＬＥＤの照度の増大化に伴って普及しつつある。
【０００３】
この種のＬＥＤ照明装置は、光源として複数個のＬＥＤ素子を組み合わせてなるＬＥＤ照明部と、これに電力を供給して所要の状態で発光させる電源供給部等によって構成されている。
従来この種のＬＥＤ照明装置としては、たとえば複数のＬＥＤ素子を組み合わせることによりＬＥＤユニットを構成し、これにより適宜の形状をもつＬＥＤ照明部を構成するとともに、その前方にレンズを含むレンズ体を配置し、さらにＬＥＤユニットに電力を供給するＬＥＤ電源供給部を設けた構造をもつものが提案されている（例えば、特許文献１参照）。
【０００４】
【特許文献１】特開２００２−３０４９０４
【発明の開示】
【発明が解決しようとする課題】
【０００５】
ところで、上述した従来のＬＥＤ照明装置においては、ＬＥＤ照明部を所要の状態で照明器具本体内に組み込み配置し、室内等の照明を適切な照度をもって照明することができるとともに、照明器具本体の構成を簡素化し、また電源への接続も簡単に行えること等が望まれる。
【０００６】
そして、このような要請に応えるために問題となるところに、ＬＥＤ照明部に電力を供給するＬＥＤ電源供給部を、どのように構成するか、ということがある。すなわち、この種のＬＥＤ照明装置においてＬＥＤ電源供給部は、商用電源からの交流電圧を、降圧を含めて整流、平滑などして所定レベルの直流の低電圧を得ているところである。
【０００７】
このようなＬＥＤ電源供給部の組み込み箇所としては、照明器具本体を始め、該ＬＥＤ照明装置の天井等への組み付け部など、種々の箇所が考えられているが、いずれも一長一短がある。
すなわち、照明器具本体内に組み込む構造では、ＬＥＤ照明部との関係において組み込み箇所が制限されることが多く、また照明器具本体の形状、さらにＬＥＤ照明部でのＬＥＤ素子の配列などに影響を与えることが多く、実用面で問題であった。
【０００８】
特に、この種のＬＥＤ照明装置では、ＬＥＤ素子を自由に配列し、可能な限りの照度を得られるような構造面、さらにデザイン上での自由度をもつことが望まれているもので、ＬＥＤ電源供給部の組み込み構造に配慮することが必要である。
【０００９】
また、ＬＥＤ照明装置とは別個に、ＬＥＤ電源供給部を構成して配設する構造では、ＬＥＤ照明部との電気的接続が面倒かつ煩雑となるばかりでなく、装置の取り付けも面倒であり、このような不具合を生じないような対策を講じることも望まれている。
【００１０】
本発明はこのような事情に鑑みてなされたものであり、ＬＥＤ照明装置を簡単かつコンパクトに構成するとともに、天井に既設の引掛ローゼット等に簡単に取り付けることができるようにし、しかもＬＥＤ電源供給部を簡単かつ適切に組み込むことができるようにしたＬＥＤ照明装置を得ることを目的とする。
【課題を解決するための手段】
【００１１】
このような目的に応えるために本発明（請求項１記載の発明）に係るＬＥＤ照明装置は、少なくとも１つのＬＥＤ素子からなるＬＥＤ照明部と、このＬＥＤ照明部のＬＥＤ素子に電力を供給するＬＥＤ電源供給部とを備え、前記ＬＥＤ照明部を照明器具本体に組み込んでなるＬＥＤ照明装置において、前記ＬＥＤ電源供給部は、交流電源を受けて直流電圧を出力し、この直流電圧を照明器具本体に取り付けられたＬＥＤユニットに印加してＬＥＤ素子を発光させるように構成されるとともに、このＬＥＤ電源供給部を構成する各部材は、外部コネクタに着脱可能に装着されるコネクタ内に組み込まれていることを特徴とする。
【００１２】
本発明（請求項２記載の発明）に係るＬＥＤ照明装置は、請求項１記載のＬＥＤ照明装置を技術的に限定したものであり、ＬＥＤ電源供給部を構成する各部材は、外部接続用コネクタ内部に組み込み配置されるとともに、該コネクタ内に封入された封止樹脂により封止されていることを特徴とする。
【００１３】
本発明（請求項３記載の発明）に係るＬＥＤ照明装置は、請求項１記載のＬＥＤ照明装置を技術的に限定したものであり、ＬＥＤ電源供給部を構成する各部材は、予め封止樹脂によりモジュール化されるとともに、外部接続用コネクタ内部に組み込み配置されていることを特徴とする。
【００１４】
本発明（請求項４記載の発明）に係るＬＥＤ照明装置は、請求項１、請求項２または請求項３記載のＬＥＤ照明装置を技術的に限定したものであり、外部接続用コネクタは、天井等に既設の引掛ローゼットに着脱可能に装着される引掛シーリングであることを特徴とする。
【発明の効果】
【００１５】
以上説明したように本発明に係るＬＥＤ照明装置によれば、ＬＥＤ電源供給部を外部コネクタとの接続用コネクタ内に組み込み配置しているから、ＬＥＤ照明装置、特にＬＥＤ照明部を簡単に構成でき、デザイン上での自由度も大きく、またＬＥＤ照明部でのＬＥＤ素子の配列等の自由度も増大し、所要の照度をもって照明を行えるとともに、装置の一部にＬＥＤ電源供給部も組み込まれており、装置の取り付けも簡単に行える等の種々優れた効果がある。
【００１６】
特に、本発明によれば、外部コネクタである天井に既設の引掛ローゼット等に簡単に取り付けるだけで、ＬＥＤ電源供給部と外部電源との接続が行えることから、従来からある標準品の使用が可能となり、特別な電気的接続作業も不要であり、また既設の引掛ローゼットなどを利用することから、従来からある設備をそのまま使用することができる等の利点もある。
【発明を実施するための最良の形態】
【００１７】
図１ないし図５は本発明に係るＬＥＤ照明装置の一実施形態を示すものである。
これらの図において、符号１０は少なくとも１つのＬＥＤ素子１１を用いて照明を行うＬＥＤ照明装置であり、この実施形態でのＬＥＤ照明装置１０は、図３および図４等に示すように、複数のＬＥＤ素子１１からなるＬＥＤ照明部１２と、このＬＥＤ照明部１２のＬＥＤ素子１１に電力を供給するＬＥＤ電源供給部１３とを備えている。そして、ＬＥＤ照明部１２は、たとえば図４に示すような照明器具本体１６に適宜の配列状態で組み込まれている。
【００１８】
ＬＥＤ電源供給部１３は、商用電源２１からの交流電圧を、降圧を含めて整流、平滑などして所定レベルの直流の低電圧を得ているところであり、図３に示すような回路構成による電源供給回路により得られる直流電圧を、照明器具本体１６に取り付けられたＬＥＤ照明部１２に印加してＬＥＤ素子１１を発光させるように構成されている。なお、ここでは、図３の詳細な説明は省略する。
【００１９】
本発明によれば、上述した構成によるＬＥＤ照明装置において、ＬＥＤ電源供給部１３を構成する部材は、図１（ａ）および図２に示すように、外部コネクタとしての天井等に既設の引掛ローゼット１９に着脱可能に装着される外部接続用コネクタとしての引掛シーリング１７内に組み込まれていることを特徴とする。
【００２０】
なお、図４中、１８は該引掛シーリング１７に設けたフック１８ａに照明器具本体１６を吊り下げるための吊り下げワイヤである。また、この実施形態では、ＬＥＤ照明部１２から引き出されたコード１４の先端にコネクタ１４ａを設け、シーリング１７に設けた差し込み部１４ｂに接続することで、シーリング１７内のＬＥＤ電源供給部１３との電気的接続が得られるように構成している。勿論、これに限定されず、コード１４とＬＥＤ電源供給部１３とが予め接続された状態で構成されている構造であってもよい。
【００２１】
前記ＬＥＤ電源供給部１３は、図１および図２に示すように、回路基板２２上に必要な回路部品が実装されるとともに、電気配線などが形成され、電源供給部１３としての機能が得られるようになっている。さらに、この回路基板２２上の電気配線には、シーリング１７のコネクタ電極２３，２３を構成する部材の内方端２３ａ，２３ａが直接または連結金具を介して間接的に接続され、該シーリング１７をローゼット１９側の係合部１９ａ，１９ａに係合させた際に、外部電源である商用電源２１側にＬＥＤ電源供給部１３が接続されるようになっている。
【００２２】
また、上述したようなＬＥＤ電源供給部１３を構成する各部材は、引掛シーリング１７内に組み込み配置されるとともに、該シーリング１７内に封入された封止樹脂２５により封止されている。このような封止樹脂２５は、電気規格等により必要なことである。
【００２３】
なお、この実施形態では、回路基板２２やこの基板２２上に搭載したトランス等を所要の位置決め状態で保持する保持部を、シーリング１７内に形成し、また回路基板２２からＬＥＤ照明部１２へ直流電圧を出力する出力端子２６，２６を設けている。これらの出力端子２６，２６が前記コード１４を介してＬＥＤ側に接続されることは勿論である。
【００２４】
このような構成によるＬＥＤ照明装置１０によれば、ＬＥＤ電源供給部１３を引掛シーリング１７内に組み込み配置しているから、ＬＥＤ照明装置１０、特にＬＥＤ照明部１２を簡単かつコンパクトに構成でき、またＬＥＤ照明部１２でのＬＥＤ素子１１の配列等の自由度も増大し、所要の照度をもって照明を行えるとともに、装置１０の一部であるシーリング１７にＬＥＤ電源供給部１３も組み込まれており、装置の取り付けも簡単に行える等の利点がある。
【００２５】
特に、上述した構成では、外部コネクタである天井に既設の引掛ローゼット１９等に簡単に取り付けるだけで、ＬＥＤ電源供給部１３と外部の商用電源２１との接続が行えることから、特別な電気的接続作業も不要であり、また既設の引掛ローゼット１９などを利用することから、従来からある設備をそのまま使用することができる等の利点もある。
【００２６】
上述した実施形態では、ＬＥＤ電源供給部１３を構成するトランス等を含む各部材を、回路基板２２上に実装した構造を説明したが、本発明はこれに限定されない。たとえば図１（ｂ）、図６および図７に示すように、トランス等を含む部分を封止樹脂によりモジュール化したパワーモジュール３０を回路基板２２上に実装したものを用いてもよい。このときには、図６に示すように、シーリング１７内への封止樹脂の充填は不要となる。
【００２７】
なお、本発明は上述した実施の形態で説明した構造には限定されず、ＬＥＤ照明装置を構成する各部の形状、構造等を適宜変形、変更し得ることはいうまでもない。
たとえば外部接続用コネクタとして、天井等に既設の引掛ローゼット１９に着脱可能に装着される引掛シーリング１７を用いた場合を説明したが、これに限定されず、適宜の接続用コネクタに適用できることは言うまでもない。
【図面の簡単な説明】
【００２８】
【図１】本発明に係るＬＥＤ照明装置の一実施形態を示す概略分解斜視図であって、（ａ），（ｂ）はＬＥＤ電源供給部についての二つの実施形態を説明するための図である。
【図２】本発明に係るＬＥＤ照明装置の一実施形態を示す要部断面図である。
【図３】本発明に係るＬＥＤ照明装置の一実施形態を示す電気回路図である。
【図４】本発明に係るＬＥＤ照明装置の概要を説明するための図である。
【図５】本発明に係るＬＥＤ照明装置において天井に既設の引掛ローゼットとこれに接続される引掛シーリングとを説明するための図である。
【図６】本発明に係るＬＥＤ照明装置の別の実施形態を示す要部断面図である。
【図７】本発明に係るＬＥＤ照明装置の別の実施形態を示す電気回路図である。
【符号の説明】
【００２９】
１０…ＬＥＤ照明装置、１１…ＬＥＤ素子、１２…ＬＥＤ照明部、１３…ＬＥＤ電源供給部、１４…コード、１６…照明器具本体、１７…引掛シーリング、１８…吊り下げワイヤ、１９…引掛ローゼット、２１…外部電源（商用電源）、２２…回路基板、２３…コネクタ電極、２５…封止樹脂。
【図１】
2007123213.tif 000003
【図２】
2007123213.tif 000004
【図３】
2007123213.tif 000005
【図４】
2007123213.tif 000006
【図５】
2007123213.tif 000007
【図６】
2007123213.tif 000008
【図７】
2007123213.tif 000009